(57)【要約】【課題】点灯が不必要な状況において照明を消灯することが可能な戸体を提供すること。【解決手段】戸体１の戸先側に設けられた照明部５０と、照明部５０の点灯及び消灯の制御を行う制御部と、一側と他側とのそれぞれの側において人の存在を検知する人感センサと、一側と他側とのそれぞれの側における照度を検知する照度センサと、を備え、制御部は、照度センサによって一側と他側との少なくとも一方の側の照度が所定の照度よりも低いことが検知され、且つ、人感センサによって一方の側において戸体に人が接近してきたことが検知されたときに、照明部５０を点灯させる制御を照明部５０に対して行う戸体である。【選択図】図７
2020107512.tif 000002
【特許請求の範囲】
【請求項１】
一側と他側とを仕切る戸体であって、
前記戸体の戸先側に設けられた照明部と、
前記照明部の点灯及び消灯の制御を行う制御部と、
前記戸体の開閉状態を検知するマグネットセンサと、
一側と他側とのそれぞれの側において人の存在を検知する人感センサと、
一側と他側とのそれぞれの側における照度を検知する照度センサと、を備え、
前記制御部は、前記戸体が閉まっていることを検知し、且つ、前記照度センサによって一側と他側との少なくとも一方の側の照度が所定の照度よりも低いことが検知され、且つ、前記人感センサによって前記一方の側において前記戸体に人が接近してきたことが検知されたときに、前記照明部を点灯させる制御を前記照明部に対して行う戸体。
【請求項２】
前記制御部は、前記照明部が点灯した後、前記戸体が開いたことを検知しても前記人感センサが検知されている間は、前記照明部を点灯し続ける制御を前記照明部に対して行う請求項１に記載の戸体。
【請求項３】
前記制御部は、前記照明部を点灯させる制御を前記照明部に対して行った後に、前記人感センサによって前記一方の側において人の存在が検知されなくなってから所定時間経過後に前記照明部を消灯させる制御を照明部に対して行う請求項１又は請求項２に記載の戸体。
【請求項４】
把手を備え、
前記照明部は、把手の上側及び下側において前記戸体の戸先に沿って延びて設けられ、
前記制御部は、前記照明部による光が前記把手から離れてゆくように前記照明部を点灯させるか、又は、前記照明部による光が前記把手に接近してゆくように前記照明部を点灯させる制御を前記照明部に対して行う請求項１〜請求項３のいずれかに記載の戸体。
【請求項５】
前記制御部は、徐々に明るくする点灯の制御と、徐々に暗くする消灯の制御とを前記照明部に対して行う請求項１〜請求項４のいずれかに記載の戸体。
【発明の詳細な説明】
【技術分野】
【０００１】
本発明は、照明部を備える戸体に関する。
【背景技術】
【０００２】
従来より、ＬＥＤ（発光ダイオード）等の発光素子を有する照明部を備える開閉窓等の戸体が知られている（例えば、特許文献１参照）。特許文献１に記載されている戸体としての開閉窓は、有機ＥＬパネルを備える透明ブロック装置を有している。
【先行技術文献】
【特許文献】
【０００３】
【特許文献１】特開２０１０−２８１０５６号公報
【発明の概要】
【発明が解決しようとする課題】
【０００４】
上記公報記載の戸体は、周囲環境の明暗のみに対応して照明が点灯したり消灯したりするため、点灯が不必要な状況でもムダに点灯するという問題がある。
【０００５】
本発明は、点灯が不必要な状況において照明を消灯することが可能な戸体を提供することを目的とする。
【課題を解決するための手段】
【０００６】
本発明は、一側と他側とを仕切る戸体（例えば、後述の戸体１）であって、前記戸体の戸先側に設けられた照明部（例えば、後述の照明部５０）と、前記照明部の点灯及び消灯の制御を行う制御部（例えば、後述の制御部１０５１）と、前記戸体の開閉状態を検知するマグネットセンサ（例えば、後述のリードスイッチ１０１）と、一側と他側とのそれぞれの側において人の存在を検知する人感センサ（例えば、後述の人感センサ１０２）と、一側と他側とのそれぞれの側における照度を検知する照度センサ（例えば、後述の照度センサ１０３）と、を備え、前記制御部は、前記戸体が閉まっていることを検知し、且つ、前記照度センサによって一側と他側との少なくとも一方の側の照度が所定の照度よりも低いことが検知され、且つ、前記人感センサによって前記一方の側において前記戸体に人が接近してきたことが検知されたときに、前記照明部を点灯させる制御を前記照明部に対して行う戸体に関する。
【０００７】
また、前記制御部は、前記照明部が点灯した後、前記戸体が開いたことを検知しても前記人感センサが検知されている間は、前記照明部を点灯し続ける制御を前記照明部に対して行うことが好ましい。
【０００８】
また、前記制御部は、前記照明部を点灯させる制御を前記照明部に対して行った後に、前記人感センサによって前記一方の側において人の存在が検知されなくなってから所定時間経過後に前記照明部を消灯させる制御を照明部に対して行うことが好ましい。
【０００９】
また、把手（例えば、後述のハンドル４４１）を備え、前記照明部は、把手の上側及び下側において前記戸体の戸先に沿って延びて設けられ、前記制御部は、前記照明部による光が前記把手から離れてゆくように前記照明部を点灯させるか、又は、前記照明部による光が前記把手に接近してゆくように前記照明部を点灯させる制御を前記照明部に対して行うことが好ましい。また、前記制御部は、徐々に明るくする点灯の制御と、徐々に暗くする消灯の制御とを前記照明部に対して行うことが好ましい。
【発明の効果】
【００１０】
本発明によれば、点灯が不必要な状況において照明を消灯することが可能な戸体を提供することができる。
【図面の簡単な説明】
【００１１】
【図１】一実施形態による戸体を示す正面図である。
【図２】一実施形態による戸体を示す側面図である。
【図３】一実施形態による戸体を示す拡大分解斜視図である。
【図４】一実施形態による戸体の戸先芯材に芯材側フレームが固定された様子を示す拡大断面図である。
【図５】一実施形態による戸体の芯材側フレームにアクリル板が取り付けられた様子を示す拡大断面図である。
【図６】一実施形態による戸体の芯材側フレームにアクリル板及び戸先側フレームが取り付けられた様子を示す拡大断面図である。
【図７】一実施形態による戸体において照明部が光っている様子を示す正面図である。
【図８】一実施形態による戸体の照明部により照明を行う制御のための構成を示すブロック図である。
【図９】一実施形態による戸体におけるセンサ等の位置を説明するための説明図である。
【図１０】一実施形態による戸体において人感センサによる人の検知を説明するための説明図である。
【図１１】一実施形態による戸体の照明部により照明を行う制御を示すフローチャートである。
【発明を実施するための形態】
【００１２】
以下、建物に形成された躯体開口部の内部に設けられ、開閉可能な戸体１を本発明の一実施形態として説明する。
【００１３】
図１は、戸体１を示す正面図である。図２は、戸体１を示す側面図である。図３は、戸体１を示す拡大分解斜視図である。図４は、戸体１の戸先芯材４４に芯材側フレーム６１が固定された様子を示す拡大断面図である。図５は、戸体１の芯材側フレーム６１にアクリル板５３が取り付けられた様子を示す拡大断面図である。図６は、戸体１の芯材側フレーム６１にアクリル板５３及び戸先側フレーム６２が取り付けられた様子を示す拡大断面図である。
【００１４】
戸体１は、吊元側の縦枠に固定される蝶番を介して枠体の内側に吊り込まれる開き戸である。戸体１は、室外側表面材２０と、室内側表面材３０と、芯材４０と、を有している。芯材４０は、室外側表面材２０と室内側表面材３０の間に配置されて設けられており、上芯材４１と、下芯材４２と、吊元芯材４３と、戸先芯材４４と、により矩形に枠組みされて構成されている。上芯材４１、下芯材４２、吊元芯材４３及び戸先芯材４４は、室内側表面材３０に固定されるとともに室外側表面材２０に固定される。
【００１５】
戸先芯材４４は、戸体１において戸先側に配置されており、戸先芯材４４には、ＬＥＤ５１が設けられた把手としてのハンドル４４１が回動可能に設けられている。また、戸先芯材４４には、照明部５０が設けられている。具体的には、戸先芯材４４の戸先側には芯材側フレーム６１が設けられている。
芯材側フレーム６１は、図３に示すように、戸体１の戸先側の端部において室外側表面材２０と、室内側表面材３０と、戸先芯材４４とにより形成されたコの字形状の空間に嵌め込まれた状態で収容されて設けられている。
【００１６】
芯材側フレーム６１は、アルミニウムを押し出し成型することによって形成されており、図４等に示す横断面において、芯材側壁部６１１と、室外側壁部６１２と、室内側壁部６１３と、戸先側壁部６１４とにより構成される略Ｃ字形状に形成されている。芯材側壁部６１１が戸先芯材４４にネジ４４３によって固定されることにより、芯材側フレーム６１は、戸先芯材４４に固定されている。また、芯材側壁部６１１には、発光素子としてのＬＥＤ５１（発光ダイオード）を有するＬＥＤ照明基板５２が固定されている。ＬＥＤ５１は、ＬＥＤ照明基板５２上、即ち、ＬＥＤ照明基板５２の戸先側の面上に固定されており、芯材側フレーム６１の内部に設けられている。ＬＥＤ照明基板５２は、芯材側フレーム６１の芯材側壁部６１１の上端部から下端部に至るまで一直線状に複数設けられており、後述の制御部１０５１による制御により、予め設定された点灯方法により、複数のＬＥＤ５１を一直線状に点灯させることが可能である。
【００１７】
室外側表面材２０と室内側表面材３０とを結ぶ方向における戸先側壁部６１４の中央位置には、戸体１の上下方向に延びる開口６１６が形成されている。開口６１６は、戸先側壁部６１４の上端部から下端部に至るまで、室外側表面材２０と室内側表面材３０とを結ぶ方向において所定の幅で形成されている。
【００１８】
略Ｃ字形状に形成されている芯材側フレーム６１の内面、即ち、芯材側壁部６１１の内面、室外側壁部６１２の内面、室内側壁部６１３の内面、及び、戸先側壁部６１４の内面は、ＬＥＤ照明基板５２上のＬＥＤ５１に対向する対向面を構成しており、アルミ二ウム合金の金属光沢を有している。また、戸先側壁部６１４の戸先側の面についてもアルミ二ウム合金の金属光沢を有している。
【００１９】
戸先側壁部６１４の戸先側には、図６に示すように、戸先側壁部６１４の開口６１６を塞ぐように、光透過部材としての長方形状のアクリル板５３が設けられている。室外側表面材２０と室内側表面材３０とを結ぶ方向におけるアクリル板５３の幅は、同方向における戸体１における室外側表面材２０の厚さと、室内側表面材３０の厚さと、芯材４０の厚さとの和と略同一である。アクリル板５３は、乳白色を有しており、戸先側壁部６１４の上端部から下端部に至るまで戸先側壁部６１４に対向して配置されている。
【００２０】
アクリル板５３の戸先側には、長手方向に直交する断面が中空の戸先側フレーム６２が設けられている。戸先側フレーム６２は、アルミニウムを押し出し成型することによって形成されており、芯材側フレーム６１との間でアクリル板５３を挟むようにして配置されており、ネジ６２３によってアクリル板５３を貫通して芯材側フレーム６１に固定されている。ネジ６２３を緩めて戸先側フレーム６２を取り外すことにより、アクリル板５３を芯材側フレーム６１に対して着脱可能である。これにより、異なる色のアクリル板５３に交換する等が可能である。アクリル板５３に対向する戸先側フレーム６２の面は、アルミ二ウム合金の金属光沢を有している。
【００２１】
アクリル板５３、及び、ＬＥＤ５１を有するＬＥＤ照明基板５２は、照明部５０を構成する。ＬＥＤ５１の発光による光は、金属光沢を有する芯材側フレーム６１の対向面により反射されて、開口６１６から開口６１６の戸先側に配置されたアクリル板５３に入射する。アクリル板５３に入射した光は、アクリル板５３に対向する戸先側フレーム６２の面の、アルミ二ウム合金の金属光沢と、戸先側壁部６１４の戸先側の面の、アルミ二ウム合金の金属光沢とにより反射されて、室外側表面材２０と室内側表面材３０とを結ぶ方向におけるアクリル板５３の一端部と他端部とから、戸体１の一側としての室外側と、戸体１の他側としての室内側と、において光を放出可能に構成されている。
【００２２】
また、戸体１は、図８等に示すように、リードスイッチ１０１と、人感センサ１０２と、照度センサ１０３と、電源１０４と、制御基板１０５と、を備えている。
図７は、戸体１において照明部５０が光っている様子を示す正面図である。図８は、戸体１の照明部５０により照明を行う制御のための構成を示すブロック図である。図９は、戸体１におけるセンサ等の位置を説明するための説明図である。図１０は、戸体１において人感センサ１０２による人の検知を説明するための説明図である。図１１は、戸体１の照明部５０により照明を行う制御を示すフローチャートである。
【００２３】
図９に示すように、リードスイッチ１０１は、上芯材４１における戸先側の部分に設けられており、戸体１が開かれているか否かを検知する。なお、図９においては、説明の便宜上、室内側表面材３０の図示を省略する。
人感センサ１０２は、室外側及び室内側の、戸先芯材４４の上下方向における中央部においてハンドル４４１（図１参照）よりも下側にそれぞれ設けられており、戸体１の室外側と室内側とのそれぞれにおける戸体１の近傍に人がいるか否かを検知する。
照度センサ１０３は、室外側及び室内側の、戸先芯材４４の上下方向における人感センサ１０２と上端部との間の部分にそれぞれ設けられており、戸体１の室外側と室内側とのそれぞれにおける照度が所定の値以下か否かを検知する。
【００２４】
電源１０４は、乾電池等を有し、戸先芯材４４の下部に設けられており、制御基板１０５上の制御部１０５１（ＣＰＵ）等に直流の電気を供給する。
制御基板１０５は、戸先芯材４４の下部に設けられており、制御基板１０５には制御部１０５１としてのＣＰＵと、ＬＥＤ５１を駆動するためのＬＥＤドライバーが記憶されている記憶装置１０５２と、電源１０４からの電圧を降圧するＤＣ／ＤＣコンバータ１０５３とが設けられている。制御部１０５１には、リードスイッチ１０１と、人感センサ１０２と、照度センサ１０３と、ＬＥＤ５１とが電気的に接続されている。制御部１０５１は、リードスイッチ１０１、人感センサ１０２、及び、照度センサ１０３からの検知信号に基づいて、ＬＥＤ５１の点灯及び消灯の制御を行う。
電源１０４および制御基板１０５は、戸先芯材４４の下部に形成された開口部の内部に配置されており、当該開口部は、蓋６２５（図２参照）により閉じられている。蓋６２５を取り外すことにより、電源１０４等の交換が可能である。
【００２５】
次に、制御部１０５１によるＬＥＤ５１の点灯及び消灯の制御について説明する。
図１１は、戸体１の照明部５０により照明を行う制御を示すフローチャートである。
先ず、ステップＳ１０１において、制御部１０５１は、戸体１が閉まっているか否かの判断をする。具体的には、リードスイッチ１０１による検知信号に基づき、戸体１が開いているか否かを判断する。戸体１が開いていると制御部１０５１が判断した場合には（ＹＥＳ）、制御部１０５１による処理は、ステップＳ１０２へ進む。戸体１が開いておらず閉じた状態であると制御部１０５１が判断した場合には（ＮＯ）、制御部１０５１による処理は、ステップＳ１０１へ戻る。
【００２６】
ステップＳ１０２において、制御部１０５１は、戸体１の室外側、室内側のそれぞれにおいて、照度が所定の値以下か否かを検知する。室外側において照度が所定の値以下であると制御部１０５１が判断した場合には、制御部１０５１による処理は、ステップＳ１０３へ進む。室内側において照度が所定の値以下であると制御部１０５１が判断した場合には（ＹＥＳ）、制御部１０５１による処理は、ステップＳ１０４へ進む。室外側、室内側のいずれにおいても照度が所定の値以下ではないと制御部１０５１が判断した場合には（ＮＯ）、制御部１０５１による処理は、ステップＳ１０１へ戻る。
【００２７】
ステップＳ１０３において、制御部１０５１は、室外側において戸体１の近傍に人がいるか否かを判断する。室外側において戸体１の近傍に人がいると制御部１０５１が判断した場合には（ＹＥＳ）、制御部１０５１による処理は、ステップＳ１０５へ進む。室外側において戸体１の近傍に人がいないと制御部１０５１が判断した場合には（ＮＯ）、制御部１０５１による処理は、ステップＳ１０１へ戻る。
【００２８】
ここで、人感センサ１０２の検知に基づく制御部１０５１による判断は、図１０において破線で示す範囲内において、戸体１に対して接近してきたか否かを判断することにより行う。即ち、１ｍ程度以上の身長を有する人Ｐ（子供以上の人間）が、図１０に示す破線の範囲において戸体１に対して２ｍ離れた位置から更に接近してきて１．５ｍ以内の位置に至るまで接近してきた場合に、制御部１０５１は、戸体１の近傍に人Ｐがいると判断する。従って、子犬等の小動物が戸体１に接近した場合には、人感センサ１０２には検知されない。また、戸体１に沿って戸体１の近傍を戸体１の戸尻側から戸先側へ移動してきた人Ｐについては、所定時間（例えば１秒程度）人Ｐの検出が持続した場合にのみ、制御部１０５１は戸体１の近傍に人Ｐがいると判断する。これにより、戸体１に沿って歩行して戸体１の近傍を通過する人Ｐを誤って検知することが抑えられる。これらの判断については、屋外側、屋内側における人感センサ１０２の検知に基づく制御部１０５１による判断について同様である。
【００２９】
ステップＳ１０４において、制御部１０５１は、室内側において戸体１の近傍に人がいるか否かを判断する。室内側において戸体１の近傍に人がいると制御部１０５１が判断した場合には（ＹＥＳ）、制御部１０５１による処理は、ステップＳ１０５へ進む。室内側において戸体１の近傍に人がいないと制御部１０５１が判断した場合には（ＮＯ）、制御部１０５１による処理は、ステップＳ１０１へ戻る。
【００３０】
ステップＳ１０５において、制御部１０５１は、ＬＥＤ５１を予め設定した点灯方法により、点灯させる。予め設定した点灯方法とは、芯材側フレーム６１の芯材側壁部６１１の上端部から下端部に至るまで一直線状に複数設けられた複数のＬＥＤ５１を、最初は、図７に示すようにハンドル４４１の近傍のみが明るく光り、徐々にハンドル４４１近傍の位置から戸先側フレーム６２の上端部と下端部とに向かってそれぞれ光が移動して光っていく部分が広がってゆき、最終的に、アクリル板５３の上端部から下端部まで全体が光るように、直線状に順番に光らせる点灯方法である。
【００３１】
この点灯方法に代えて他の点灯方法、例えば、逆の点灯方法、即ち、複数のＬＥＤ５１を、戸先側フレーム６２の上端部と下端部とからハンドル４４１近傍の位置に向かってそれぞれ光が移動して光っている部分が広がってゆくように、直線上に順番に光らせる点灯方法でもよい。そして、制御部１０５１による処理は、ステップＳ１０６へ進む。
【００３２】
ステップＳ１０６において、制御部１０５１は、ＬＥＤ５１の点灯を維持して、ＬＥＤ５１を点灯させ続ける。そして、制御部１０５１による処理は、ステップＳ１０７へ進む。
【００３３】
ステップＳ１０７において、制御部１０５１は、戸体１の室外側および室内側に人がいない状態になったか否かを判断する。室外側および室内側に人がいない状態になったと制御部１０５１が判断した場合には（ＹＥＳ）、制御部１０５１による処理は、ステップＳ１０８へ進む。室外側および室内側に人がいない状態、即ち、室外側と室内側との少なくとも一方に人がいる状態であると制御部１０５１が判断した場合には（ＮＯ）、制御部１０５１による処理は、ステップＳ１０１へ戻る。
【００３４】
ステップＳ１０８において、タイマーによる所定時間のカウントを開始する。そして、タイマーによる所定時間のカウントが終了、即ち、所定時間が経過した後に、制御部１０５１による処理は、ステップＳ１０９へ進む。
【００３５】
ステップＳ１０９において、制御部１０５１は、ＬＥＤ５１を予め設定した点灯方法により、消灯させる。予め設定した消灯方法とは、ステップＳ１０５において点灯させた状態の全てのＬＥＤ５１の明るさ（輝度）を、所定の低下率で徐々に低下させてゆき、最終的に消灯させる消灯方法である。そして、制御部１０５１による処理は、ステップＳ１０１へ戻る。
【００３６】
次に、戸体１に照射部を取り付ける工程について説明する。
先ず、図４に示すように、略Ｃ字形状に形成された芯材側フレーム６１の内部にＬＥＤ５１が実装されたＬＥＤ照明基板５２を挿入し、ＬＥＤ照明基板５２を芯材側壁部６１１に固定する。次に、開口６１６からネジ４４３を挿入し、ネジ４４３により芯材側壁部６１１を芯材４０に固定する。
【００３７】
次に、図５に示すように、アクリル板５３を芯材側フレーム６１の戸先側に配置させる。そして、図６に示すように、戸先側フレーム６２に形成された貫通孔にネジ６２３を挿入し、ネジ６２３によってアクリル板５３を貫通させて、戸先側フレーム６２を芯材側フレーム６１の戸先側壁部６１４に固定させる。以上の工程により、戸体１に照射部が取り付けられる。従って、ネジ６２３を緩めて取り外し、戸先側フレーム６２を取り外すことにより、アクリル板５３を取り外すことができる。このため、異なる色のアクリル板５３に交換することが可能であり、また、アクリル板５３と同一形状のガラス板に交換することも可能である。
【００３８】
以上説明した実施形態によれば、以下のような効果を奏する。
本実施形態においては、戸体１は、戸先側に配置される戸先芯材４４と、戸先芯材４４の戸先側に設けられた芯材側フレーム６１と、芯材側フレーム６１の戸先側に設けられた照明部５０と、芯材側フレーム６１との間で照明部５０を挟むようにして、照明部５０の戸先側に設けられた戸先側フレーム６２と、を備えている。
照明部５０を構成するアクリル板５３の一端部は、戸体１の一側としての室外側において光を放出可能であり、照明部５０を構成するアクリル板５３の一端部は、戸体１の他側としての室内側において光を放出可能である。
【００３９】
これにより、長方形状のアクリル板５３の方向における端部は、一直線状に形成されているため、アクリル板５３に入射したＬＥＤ５１の光が、長方形状のアクリル板５３の幅方向における端部において一直線状に光り、ＬＥＤ５１による一直線状のライン光による照明を、戸体１の一側及び他側の両方において実現することが可能である。
【００４０】
また、照明部５０は、発光素子としてのＬＥＤ５１と光透過部材としてのアクリル板５３とを備え、ＬＥＤ５１は芯材側フレーム６１の内部に設けられ、アクリル板５３は、芯材側フレーム６１と戸先側フレーム６２との間に配置されている。これにより、照明部５０の一端部及び他端部を一直線状にする構成を用意に実現することができる。
【００４１】
また、光透過部材としてのアクリル板５３は、芯材側フレーム６１に対して着脱可能である。これにより、異なる色のアクリル板５３に交換したり、厚みの異なるアクリル板５３に交換したり、アクリル板５３以外のもの、例えば、ガラス板に交換したりすることが可能となる。このためメンテナンス性を高めることが可能となる。
【００４２】
また、光透過部材は、アクリル板５３又はガラス板により構成される。これにより、照明部５０の一端部及び他端部から、ＬＥＤ５１の光を放出する構成を容易に実現することが可能である。
【００４３】
光透過部材としてのアクリル板５３に対向する戸先側フレーム６２の対向面は、金属光沢を有する。これによりＬＥＤ５１からの光を、効果的に長方形状のアクリル板５３の幅方向における一端部及び他端部から室外側及び室内側へ放出することが可能となる。
【００４４】
また、戸体１は、照明部５０の点灯及び消灯の制御を行う制御部１０５１を有する制御基板１０５を備え、制御基板１０５は、戸先芯材４４の下部に収納されている。これにより、制御基板１０５の点検や交換の際に、戸体１の低い位置において、これらの点検や交換の作業を行うことが可能となる。
【００４５】
また、本実施形態においては、戸体１は、戸体１の戸先側に設けられた照明部５０と、照明部５０の点灯及び消灯の制御を行う制御部１０５１と、戸体１の開閉状態を検知するマグネットセンサ（りーどスイッチ１０１）と、一側としての室外側と他側としての室内側とのそれぞれの側において人の存在を検知する人感センサ１０２と、一側としての室外側と他側としての室内側とのそれぞれの側における照度を検知する照度センサ１０３と、を備え、制御部１０５１は、戸体１が閉まっていることを検知し、且つ、照度センサ１０３によって室外側と室内側との少なくとも一方の側の照度が所定の照度よりも低いことが検知され、且つ、人感センサ１０２によって一方の側において戸体１に人が接近してきたことが検知されたときに、照明部５０を点灯させる制御を照明部５０に対して行う。
【００４６】
これにより、照度が所定の値よりも低いことを前提として、人感センサ１０２によって一方の側において戸体１に人が接近してきたことが検知されたときに、照明部５０を点灯させる制御を照明部５０に対して行うので、点灯が不必要な状況では、照明部５０を消灯した状態として、無駄に点灯することを防止することが可能となる。従って、例えば、室外側の廊下において明るい照明が点灯しているときに、廊下側におい人が戸体１に接近してきた場合には、照明部５０が無駄に点灯することを防止するとことが可能となる。
また、夜間、水分の摂取のため、キッチンへの移動やトイレへ行く際に、部屋の照明を点灯すると眩しいため眠気が覚醒する。部屋を消灯したまま移動する場合には、戸体１の位置が分かり難く、戸体に衝突するなどの危険性がある。このようなことを回避するために、夜間用照明を取り付けることが多いが、夜間用照明は、暗い中点灯し続けるためムダが多く、また完全に暗くして寝たい人には好まれない。
しかし、本実施形態における戸体１の照明部５０は、人が戸体１の近傍にいることを条件として点灯するめためムダが無い。また、照明部５０は、戸体１の戸先側において点灯するため、扉の開き方向及びハンドル４４１の位置がわかりやすく、より安全性を高めることが可能となる。
【００４７】
制御部１０５１は、照明部５０が点灯した後、戸体１が開いたことを検知しても人感センサ１０２が検知されている間は、照明部５０を点灯し続ける制御を照明部５０に対して行う。これにより、人が戸体１の近傍にいるにもかかわらず、照明部５０が消灯してしまうことを防止することが可能となる。
【００４８】
制御部１０５１は、照明部５０を点灯させる制御を照明部５０に対して行った後に、人感センサ１０２によって一方の側において人の存在が検知されなくなってから所定時間経過後に照明部５０を消灯させる制御を照明部５０に対して行う。これにより、戸体１の近傍に人がいない状態で、照明部５０が無駄に点灯を続けることを防止するとことが可能となる。
【００４９】
また、照明部５０を構成するアクリル板５３は、把手としてのハンドル４４１の上側及び下側において戸体１の戸先に沿って延びて設けられ、制御部１０５１は、照明部５０による光が把手から離れてゆくように照明部５０を点灯させるか、又は、照明部５０による光が把手に接近してゆくように照明部５０を点灯させる制御を照明部５０に対して行う。
【００５０】
これにより、戸体１の照明部５０を戸先側のライン照明とすることを実現し、且つ、ハンドル４４１の近傍を起点として上下へ向かって移動してゆくように点灯するか、または、ハンドル４４１に向かって戸先の上端部及び下端部から移動してゆくように点灯するため、戸体１の開き方向及びハンドル４４１位置を、より分かりやすくすることが可能となる。
【００５１】
制御部１０５１は、徐々に明るくする点灯の制御と、徐々に暗くする消灯の制御とを照明部５０に対して行う。これにより、照明部５０が突然点灯したり突然消灯したりすることが回避可能となる。
【００５２】
以上、本発明の好ましい実施形態について説明したが、本発明は、上述の実施形態に制限されるものではなく、適宜変更が可能である。
例えば、本実施形態においては、戸体１は、屋内に配置される開き戸により構成されたか、開き戸に限定されない。例えば、戸体は、引き戸により構成されてもよく、また、屋外と屋内とを仕切る扉（例えば、玄関ドア等）により構成されてもよい。
また、アクリル板５３は乳白色を有していたが、これに限定されず、他の色を有していてもよい。また、アクリル板５３に代えてアクリル板５３と同一形状のガラス板（透明体）を用いてもよいし、他の半透明な樹脂（半透明体）板を用いてもよいし、和紙等を用いてもよい。
【００５３】
また、室外側と室内側とにＬＥＤの光を放出する構成については、本実施形態における構成に限定されない。
【符号の説明】
【００５４】
１…戸体
４４…戸先芯材
５０…照明部
５１…ＬＥＤ
５２…ＬＥＤ照明基板
６１…芯材側フレーム
６２…戸先側フレーム
１０２…人感センサ
１０３…照度センサ
１０４…電源
１０５…制御基板
４４１…ハンドル
６１６…開口
【図１】
2020107512.tif 000003
【図２】
2020107512.tif 000004
【図３】
2020107512.tif 000005
【図４】
2020107512.tif 000006
【図５】
2020107512.tif 000007
【図６】
2020107512.tif 000008
【図７】
2020107512.tif 000009
【図８】
2020107512.tif 000010
【図９】
2020107512.tif 000011
【図１０】
2020107512.tif 000012
【図１１】
2020107512.tif 000013